(57)【要約】【課題】本発明は、断熱材を安定して支持させると共に、作業性を良好にした断熱材支持金具を提供する。【解決手段】断熱材支持金具１は、枠部の隅角部で互いに直交する第１の部分と第２の部分とに架け渡されて、断熱材を下から支持する支持片２と、支持片２の両端から直角に立ち上がって、枠部の内側側面に当接する一対の立上げ片３，４と、立上げ片３，４の上端から直角且つ外側にそれぞれ突出し、上記第１の部分と第２の部分の上面にそれぞれ固定される固定片５，６とを備える。【選択図】図３
2014058857.tif 000002
【特許請求の範囲】
【請求項１】
建物の基礎上に配置される床組に設けられた木質の枠部に入れ込まれる断熱材を支持するための断熱材支持金具において、
前記枠部の隅角部で互いに直交する第１の部分と第２の部分とに架け渡されて、前記断熱材を下から支持する支持片と、
前記支持片の両端から直角に立ち上がって、前記枠部の内側側面に当接する一対の第１及び第２の立上げ片と、
前記第１及び第２の立上げ片の上端から直角且つ外側にそれぞれ突出し、前記第１の部分と前記第２の部分の上面にそれぞれ固定される第１及び第２の固定片と、を備えたことを特徴とする断熱材支持金具。
【請求項２】
展開状態の基材は、
直状に延在する前記支持片と、
前記支持片に対して鈍角をもって延在する直状の前記一対の立上げ片と、
前記立上げ片の延長上に形成された前記第１及び第２の固定片と、からなり、
前記支持片に対して前記一対の立上げ片は、直角に谷折りされ、前記立上げ片に対して前記固定片は直角に山折りされていることを特徴とする請求項１記載の断熱材支持金具。
【請求項３】
前記支持片の中央部に分離部が設けられていることを特徴とする請求項１又は２記載の断熱材支持金具。
【発明の詳細な説明】
【技術分野】
【０００１】
本発明は、建物の基礎上の土台をなす木質の枠部に取り付けられて、この枠部に入れ込まれた断熱材を枠部の中で支持するための断熱材支持金具に関する。
【背景技術】
【０００２】
従来、このような分野の技術としては、特開２００８−２６１１１４号公報がある。この公報に記載された断熱材取り付け具（断熱材支持金具）は、枠部の上面に固定される係止片（固定片）と、この係止片の両端から直角に下がって枠部の外側側面及び内側側面に当接する一対の垂下片と、垂下片の下端から直角且つ外側にそれぞれ突出し、断熱材を下から支持する一対の台座（支持片）とを備える。この公報に記載された断熱材取り付け具は、一対の台座の端部を下方に折り曲げることにより、台座の強度を高める工夫がなされている。
【先行技術文献】
【特許文献】
【０００３】
【特許文献１】特開２００８−２６１１１４号公報
【特許文献２】特開２００９−９７２６５号公報
【発明の概要】
【発明が解決しようとする課題】
【０００４】
しかしながら、前述した従来の断熱材取り付け具（断熱材支持金具）では、台座（支持片）が枠部の内側側面から外側に突出し、その突出した端部が自由端となっているため、断熱材取り付け具の取付時に作業者の作業着等が台座に引っ掛かる虞がある。さらに、断熱材を安定して支持させるために、事前に断熱材の大きさに応じて断熱材取り付け具の取付位置を適切に定める作業が必要になるので、作業性が悪くなるといった問題点があった。
【０００５】
本発明は、断熱材を安定して支持させると共に、作業性を良好にした断熱材支持金具を提供することを目的とする。
【課題を解決するための手段】
【０００６】
本発明は、建物の基礎上に配置される床組に設けられた木質の枠部に入れ込まれる断熱材を支持するための断熱材支持金具において、
枠部の隅角部で互いに直交する第１の部分と第２の部分とに架け渡されて、断熱材を下から支持する支持片と、
支持片の両端から直角に立ち上がって、枠部の内側側面に当接する一対の第１及び第２の立上げ片と、
第１及び第２の立上げ片の上端から直角且つ外側にそれぞれ突出し、第１の部分と第２の部分の上面にそれぞれ固定される第１及び第２の固定片と、を備えたことを特徴とする。
【０００７】
本発明では、断熱材を下から支持する支持片が枠部の互いに直交する第１の部分と第２の部分とに架け渡されている。従って、支持片の端部が自由端となっていないため、支持強度が高く、断熱材支持金具の取付時に作業着等が支持片に引っ掛かる事態を回避でき、断熱材支持金具を枠部の四隅に取り付けることにより、断熱材は枠部の四隅で支持されることとなるため、断熱材をより安定して支持させることができる。さらに、支持片は、枠部の隅角部で互いに直交する第１の部分と第２の部分とに架け渡されるため、断熱材支持金具の取付時には、断熱材支持金具を隅角部に寄せて第１及び第２の立上げ片を枠部の内側側面に当接させるだけで必然的に取付位置が定まることとなり、事前に断熱材支持金具の取付位置を定める作業が不要となるので、作業性が良好になるといった優れた効果を有する。
【０００８】
また、展開状態の基材は、直状に延在する支持片と、支持片に対して鈍角をもって延在する直状の一対の立上げ片と、立上げ片の延長上に形成された第１及び第２の固定片と、からなり、支持片に対して一対の立上げ片は、直角に谷折りされ、立上げ片に対して固定片は直角に山折りされていると好適である。
このような構成は、展開状態の基材を折り曲げることにより、簡単に断熱材支持金具の製造を可能とする。
【０００９】
また、支持片の中央部に分離部が設けられていることが好適である。
このような構成を採用すると、支持片を分離部を目安として分離させることにより、分離した断熱材支持金具を例えば枠部の隅角部以外の部分で使用することが可能となり、汎用性を高めることができる。
【発明の効果】
【００１０】
本発明によれば、断熱材を安定して支持させると共に、作業性が良好になる。
【図面の簡単な説明】
【００１１】
【図１】本発明の第１の実施形態に係る断熱材支持金具によって断熱材が支持された状態を示し、（ａ）は斜視図、（ｂ）は平面図である。
【図２】図１の断熱材支持部材が木質の枠部に取り付けられた状態を示し、（ａ）は斜視図、（ｂ）は平面図である。
【図３】図１の断熱材支持部材を示し、（ａ）は斜視図、（ｂ）は平面図、（ｃ）は側面図である。
【図４】図３に示す断熱材支持部材の展開状態を示す平面図である。
【図５】図３に示す断熱材支持部材を分離して使用した状態を示す平面図であり、（ａ）は断熱材支持金具半部の支持片が枠部の内側側面から突出する状態、（ｂ）は断熱材支持金具半部の固定片が枠部の内側側面から突出する状態を示す。
【図６】第２の実施形態に係る断熱材支持金具を示し、（ａ）は斜視図、（ｂ）は平面図、（ｃ）は側面図である。
【図７】第３の実施形態に係る断熱材支持金具を示し、（ａ）は斜視図、（ｂ）は平面図、（ｃ）は側面図である。
【発明を実施するための形態】
【００１２】
以下、図面を参照しつつ本発明に係る断熱材支持金具の好適な実施形態について詳細に説明する。
【００１３】
（第１実施形態）
図１及び図２に示されるように、床組Ａは、長手方向に延びる断面矩形状の木材である土台１０３と、土台１０３の間に取り付けられる複数の大引１０４と、土台１０３と大引１０４とを連結する繋ぎ材１０５ａと、大引１０４と隣接する大引１０４とを連結する繋ぎ材１０５ｂと、を備える。土台１０３は長手方向に延びるコンクリートの基礎１０１上に支持されており、大引１０４は支持脚１０２によって支持されている。大引１０４は土台１０３に対して平行に延び、繋ぎ材１０５ａ，１０５ｂは大引１０４に対して垂直に延び、これらの土台１０３、大引１０４及び繋ぎ材１０５ａ，１０５ｂによって平面視正方形状の空間Ｓを内部に備えた枠部１００が構成される。なお、土台１０３、大引１０４及び繋ぎ材１０５ａ，１０５ｂの上面の高さは全て同一となっている。
【００１４】
枠部１００の空間Ｓには、直方体状の断熱材Ｄが入れ込まれる。断熱材Ｄは、フェノールフォーム等からなる発泡プラスチック系の断熱材であり、その平面視における形状及び大きさが空間Ｓの平面視における形状及び大きさと同程度となるように１枚または複数枚の断熱材が配されている。このような枠部１００の空間Ｓに入れ込まれた断熱材Ｄを下から支持するために用いられる断熱材支持金具１について説明する。
【００１５】
断熱材支持金具１は、図３に示されるように、長手方向に延びるように形成され断熱材Ｄの下面が接触し断熱材Ｄを下から支持する支持片２と、支持片２の一端から直角に立ち上がる立上げ片３と、支持片２の他端から直角に立ち上がる立上げ片４と、立上げ片３の上端から直角に折り曲げられ、支持片２に対して外側に突出し枠部１００の上面に固定される固定片５と、立上げ片４の上端から直角に折り曲げられ、支持片２に対して外側に突出し枠部１００の上面に固定される固定片６とを備えている。なお、下記の説明の「左右」は、図面上における左右を意味する。
【００１６】
支持片２は、直状に延在する平坦な上面２ａ及び下面２ｂと、支持片２の一部をＶ字状に切り込んで上面２ａより上方に立ち曲げて形成した三角形状の左右一対の棘部２ｃと、支持片２を二つに分離するための分離ライン（分離部）２ｄとを有している。
【００１７】
支持片２は、図３（ｂ）に示されるように、平面視において、共通の下底Ｘを有する第１台形部２ｅと第２台形部２ｆとからなり、全体として左右に長い六角形状をなしている。第１台形部２ｅと第２台形部２ｆは左右対称となっている。第２台形部２ｆは、第１台形部２ｅから拡張して設けられた部位であり、この第２台形部２ｆを有することにより、支持片２の幅と、立上げ片３，４、固定片５，６の幅とが同一となっている。また、第１台形部２ｅの脚に対して、第２台形部２ｆの脚は直角をなしている。
【００１８】
分離ライン２ｄは、支持片２を二つに分離させるための線であり、目安とするために引かれた線であってもよいし、簡単に分離できるように分離ライン２ｄに沿って溝や切り込みが形成されていてもよい。支持片２は、この分離ライン２ｄに沿って折ったり切ったりすることで分離でき、互いに左右対称に形成された２つの分離支持片２ｇが得られる。なお、支持片２は、分離ライン２ｄを有していなくてもよい。また、分離ライン２ｄに代わる分離部の他の例として、支持片２の分離の目安となるものであれば、分離する箇所を点や三角状の印等で示すものであってもよく、カッタやハサミを利用して支持片２を分離してもよい。
【００１９】
立上げ片３は、第１台形部２ｅの左側の脚から直角に立ち上がるように形成されている。立上げ片３は、枠部１００に対する設置状態で外側を向く平坦な外面３ａと、枠部１００に対する設置状態で内側を向く平坦な内面３ｂとを有する。外面３ａと内面３ｂは、上下に延在する長方形状となっている。立上げ片４は、第１台形部２ｅの右側の脚から直角に立ち上がるように形成されており、立上げ片３と同様の外面４ａと内面４ｂとを有する。また、立上げ片４は、立上げ片３と左右対称となっており、その形状及び大きさは立上げ片３の形状及び大きさと同一である。
【００２０】
固定片５は、立上げ片３の上端から、立上げ片３に対して直角に折り曲げられ、支持片２より外側に突出している。固定片５は、平坦な上面５ａ及び下面５ｂと、固定片５の一部をＶ字状に切り込んで下面５ｂより下方に立ち曲げて形成した三角形状の棘部５ｃとを有する。固定片５は、立上げ片３の上端から水平方向に延在する長方形状に形成されている。固定片６は、立上げ片４の上端から、立上げ片４に対して直角に折り曲げられ、支持片２より外側に突出しており、固定片５と同様の上面６ａと内面６ｂと棘部６ｃとを有する。また、固定片６は、分離ライン２ｄを通る鉛直面に対して固定片５と左右対称となっており、その形状及び大きさは固定片５の形状及び大きさと同一である。
【００２１】
次に、図４を参照しながら展開状態の基材Ｂから断熱材支持金具１を製造する方法について説明する。
【００２２】
まず、基材Ｂは例えば鉄板から打抜き成形されたものであり、展開状態において、支持片２は直状に延在しており、立上げ片３は支持片２の左端から支持片２に対して鈍角をもって延在し、立上げ片４は支持片２の右端から支持片２に対して鈍角をもって延在している。そして、固定片５は立上げ片３の延在方向の端部から更に延長して形成されており、固定片６は立上げ片４の延在方向の端部から更に延長して形成されている。
【００２３】
具体的には、立上げ片３は、支持片２の第１台形部２ｅの左側の脚に対して垂直な方向に延在する長方形状となっており、支持片２の延在方向と立上げ片３の延在方向とのなす角度αは１３５度となっている。また、立上げ片４は第１台形部２ｅの右側の脚に対して垂直な方向に延在する長方形状となっており、支持片２の延在方向と立上げ片４の延在方向とのなす角度αも１３５度となっている。このように、支持片２の延在方向と立上げ片３の延在方向とのなす角度が１３５度であり支持片２の延在方向と立上げ片４の延在方向とのなす角度も１３５度となっていることにより、断熱材支持金具１を枠部１００に取り付けたときに、断熱材支持金具１の支持片２と枠部１００の隅角部とで直角二等辺三角形が形成されるため（例えば、図１（ｂ）参照）、断熱材Ｄを枠部１００の四隅でより安定して支持させることができる。また、固定片５は立上げ片３の延在方向の延長上に長方形状に形成され、固定片６は立上げ片４の延在方向の延長上に長方形状に形成されている。立上げ片３及び固定片５は、立上げ片４及び固定片６と分離ライン２ｄを通る直線に対して左右対称となっている。
【００２４】
このような展開状態の基材Ｂから断熱材支持金具１を製造するには、まず、支持片２に対して立上げ片３を、第１台形部２ｅの左側の脚を折り目Ｆ１として、谷折りする。そして、支持片２に対して立上げ片４を、第１台形部２ｅの右側の脚を折り目Ｆ２として、谷折りする。なお、折り目Ｆ１は立上げ片３の延在方向に対して垂直となっており、折り目Ｆ２は立上げ片４の延在方向に対して垂直となっている。その後、立上げ片３に対して固定片５を、立上げ片３の延在方向に対して垂直な方向に延びる線を折り目Ｆ３として、山折りする。そして、立上げ片４に対して固定片６を、立上げ片４の延在方向に対して垂直な方向に延びる線を折り目Ｆ４として、山折りする。こうして、折り目Ｆ１〜Ｆ４に沿って展開状態の基材Ｂを折り曲げていくことにより、簡単に図３（ａ）に示されるような断熱材支持金具１を製造できる。なお、上述した谷折り、山折りの順序は逆でもよく、適宜変更可能である。
【００２５】
次に、断熱材支持金具１を枠部１００に取り付けて、断熱材Ｄを枠部１００の中に入れ込む作業について説明する。
【００２６】
まず、作業者は、断熱材支持金具１を手に持って、枠部１００の上面に固定片５，６を載置させた状態で断熱材支持金具１を枠部１００の中央部から隅角部に向かう方向に寄せていく。そして、図１及び図３に示されるように、立上げ片４の外面４ａを枠部１００の第１の部分１００ａの内側側面１００ｃに当接させると共に、立上げ片３の外面３ａを第１の部分１００ａに直交する第２の部分１００ｂの内側側面１００ｄに当接させる。この状態で、固定片６の棘部６ｃの先端を第１の部分１００ａの上面に接触させると共に、固定片５の棘部５ｃの先端を第２の部分１００ｂの上面に接触させて、上からハンマー等で固定片５，６の上面５ａ，６ａを叩いて、棘部６ｃを第１の部分１００ａに、そして棘部５ｃを第２の部分１００ｂに、それぞれ突き刺すことにより、断熱材支持金具１を枠部１００の隅角部に固定させることができる。
【００２７】
上記のように、枠部１００の四隅に断熱材支持金具１を取り付けた後に、断熱材Ｄを枠部１００の上方から空間Ｓに降ろすことにより、断熱材Ｄが枠部１００に入り込む。そして、断熱材Ｄの側面が内面３ｂ及び内面４ｂに当接して断熱材Ｄの下面が支持片２の上面２ａに当接すると共に、断熱材Ｄの下面に左右一対の棘部２ｃが突き刺さることとなり、枠部１００に入り込んだ断熱材Ｄを四個の断熱材支持金具１によってより安定して固定させることができる。
【００２８】
このように、断熱材支持金具１を枠部１００に取り付けた状態において、断熱材Ｄを下から支持する支持片２が枠部１００の互いに直交する第１の部分１００ａと第２の部分１００ｂとに架け渡されており、従来のように支持片の端部が自由端となっていないため、支持強度が高く、断熱材支持金具１の取付時に作業着等が支持片２に引っ掛かる事態を回避できる。また、断熱材支持金具１を枠部１００の四隅に取り付けることにより、断熱材Ｄは枠部１００の四隅で支持されることとなるため、断熱材Ｄをより安定して支持させることができる。さらに、支持片２は、第１の部分１００ａと、第１の部分１００ａに直交する第２の部分１００ｂに架け渡されるため、断熱材支持金具１の取付時には、断熱材支持金具１を枠部１００の隅角部に寄せて立上げ片３の外面３ａを内側側面１００ｄに、立上げ片４の外面４ａを内側側面１００ｃに、それぞれ当接させるだけで、必然的に断熱材支持金具１の取付位置が定まることとなり、事前に断熱材支持金具１の取付位置を定める作業が不要となるので、作業性が向上するといった優れた効果を有する。
【００２９】
また、平面視正方形状の空間Ｓを有する枠部１００の四隅に断熱材支持金具１を取り付け、断熱材Ｄは枠部１００の四隅で支持され、空間Ｓの中央部が空くこととなるため、断熱材支持金具１の取付作業における作業スペースを広くすることが可能となり、更に、従来よりも必要な断熱材支持金具１の個数を減らすことができる。
【００３０】
また、支持片２の左右方向中央部に分離ライン２ｄが設けられている。図５（ａ）に示されるように、断熱材支持金具半部１Ａは、支持片２を分離ライン２ｄに沿って分離させて分離支持片２ｇとすることにより形成され、断熱材支持金具半部１Ａを隅角部以外の部分で使用可能となり、汎用性を高めることができる。平面視において左右方向に延びる長方形状の枠部１０６に断熱材支持金具１、断熱材支持金具半部１Ａを取り付けるときに、枠部１０６の隅角部には上述した方法で断熱材支持金具１を取り付け、隅角部以外の部分には断熱材支持金具半部１Ａを取り付けることにより、長手方向に延びる断熱材を枠部１０６に入れ込む際でもより安定してこの断熱材を支持させることができる。また、他の使用例として、図５（ｂ）に示される断熱材支持金具半部１Ｂのように、枠部１０６の上面に分離支持片２ｇの上面２ａを接触させた状態でハンマー等で下面２ｂを叩き棘部２ｃを枠部１０６の上面に突き刺すようにすれば、断熱材支持金具半部１Ｂの固定片５，６を枠部１０６の内側側面から垂直な方向に突出させることもできる。
【００３１】
（第２実施形態）
第２実施形態としての断熱材支持金具１１は、図６に示されるように、平面視において支持片１２の第１台形部１２ｅと第２台形部１２ｆの面積とが同一となっていると共に、立上げ片１３の外面１３ａと内面１３ｂ、立上げ片１４の外面１４ａと内面１４ｂ、固定片１５の上面１５ａと下面１５ｂ、及び固定片１６の上面１６ａと内面１６ｂの形状が、第１実施形態と比較して、幅が小さく、より細長い長方形形状となっている点のみが、第１実施形態と異なっており、その他の点は第１実施形態と同様である。
【００３２】
この断熱材支持金具１１は、断熱材支持金具１と同様の効果を奏すると共に、断熱材支持金具１よりも展開状態の面積が小さくなるため、材料となる鉄板等の量を減らしコストを低減することができる。
【００３３】
（第３実施形態）
第３実施形態としての断熱材支持金具２１は、図７に示されるように、平面視において、支持片２２に、第２台形部がなく第１台形部２２ｅのみが形成されていると共に、立上げ片２３の外面２３ａと内面２３ｂ、立上げ片２４の外面２４ａと内面２４ｂ、固定片２５の上面２５ａと下面２５ｂ、及び固定片２６の上面２６ａと内面２６ｂの形状が、第１実施形態と比較して、幅が大きく、より太い長方形形状となっている点が、第１実施形態と異なり、その他の点は第１実施形態と同様である。
【００３４】
この断熱材支持金具２１は、第１実施形態の断熱材支持金具１と同様の効果を奏すると共に、平面視で支持片２２に下側台形部２２ｆのみが形成されているため材料となる鉄板等の量を抑えることが可能となり、さらに、上記のように立上げ片２３，２４と固定片２５，２６の幅が大きくなっているため、断熱材支持金具２１をより強固に枠部１００に取り付けることが可能となり、断熱材支持金具２１の脱落等をより確実に防止することができる。
【００３５】
本発明は、上述した実施形態に限定されないことは言うまでもない。
【００３６】
例えば、上述した実施形態では、支持片２，１２，２２の一部をＶ字状に切り込んでその上面２ａ，１２ａ，２２ａより上方に立ち曲げて形成した三角形状の棘部２ｃを備える例について説明したが、この棘部２ｃはなくてもよい。
【００３７】
また、上述した実施形態では、展開状態の基材Ｂにおいて、支持片２の延在方向と立上げ片３の延在方向のなす角度が１３５度で、且つ支持片２の延在方向と立上げ片４の延在方向のなす角度が１３５度となっている例について説明したが、これらの角度が１３５度となっていなくてもよく、要は、支持片２の延在方向と立上げ片３の延在方向のなす角度、及び支持片２の延在方向と立上げ片４の延在方向のなす角度、が共に鈍角であって且つその和が２７０度となっていればよい。
【符号の説明】
【００３８】
１，１１，２１…断熱材支持金具、２，１２，２２…支持片、２ｄ…分離ライン（分離部）、３，４，１３，１４，２３，２４…立上げ片（一対の第１及び第２の立上げ片）、５，６，１５，１６，２５，２６…固定片（第１及び第２の固定片）、１００，１０６…枠部、１００ａ…第１の部分、１００ｂ…第２の部分、１００ｃ，１００ｄ…内側側面、１０１…基礎、１０３…土台、１０４…大引、１０５…繋ぎ材、Ａ…床組、Ｄ…断熱材。
【図１】
2014058857.tif 000003
【図２】
2014058857.tif 000004
【図３】
2014058857.tif 000005
【図４】
2014058857.tif 000006
【図５】
2014058857.tif 000007
【図６】
2014058857.tif 000008
【図７】
2014058857.tif 000009